(57)【要約】【課題】  録画済番組情報を用いてＥＰＧデータから予約録画候補データを生成し、予約録画設定の選択を容易に行うことのできる予約録画設定方法を提供する。【解決手段】  予約録画設定方法において、録画済番組情報として保持している録画済タイトルデータ４０に基づいて、ＥＰＧデータ３０から類似番組情報を抽出し、抽出した類似番組データを予約録画設定に用いるデータフォーマットに変更し、予約録画を行う際の予約録画候補データ５０として格納する。【選択図】  図１
2006166276.tif 000002
【特許請求の範囲】
【請求項１】
放送番組に関する電子番組表データを取得し、放送番組内容を録画する際に、録画した録画済番組に関する番組データを保持する録画機器における予約録画設定方法であって、
ユーザが前記録画済番組を選択し、予約録画設定を行うため予約録画候補を必要とした場合に、前記選択した録画済番組に関して保持している番組データを基に、最新電子番組表データの中から同一または類似する放送番組を検索し、予約録画設定を行う際の予約録画候補データとして抽出することを特徴とする予約録画設定方法。
【請求項２】
請求項１記載の予約録画設定方法において、
時間の経過に従い過去データとなった前記電子番組表データを過去電子番組表データとして蓄積し、前記最新電子番組表データと比較して、類似する番組データに対して、前記最新電子番組表データおよび前記過去電子番組表データの中から出現パターンを検出し、前記最新電子番組表データとして示すことができる日時以降の番組データとして、各番組データの出現パターンを基に予測電子番組表データを作成し、前記最新電子番組表データおよび予測電子番組表データから予約録画設定を行う際の予約録画候補データを抽出することを特徴とする予約録画設定方法。
【請求項３】
請求項２記載の予約録画設定方法において、
前記番組データの出現パターンを基に、複数回の録画設定を行う予約録画パターンを生成し、前記予約録画候補データとして抽出することを特徴とする予約録画設定方法。
【請求項４】
請求項３記載の予約録画設定方法において、
前記ユーザが、予約録画設定として、前記予測電子番組表データから生成された予約録画候補データを使用した場合に、設定した前記予約録画設定データに対応した前記電子番組表データが取得された時点で、前記予測電子番組表データに基づいた予約録画設定のデータを前記電子番組表データ上のデータと比較し、前記予約録画設定のデータの有効性を判断、または前記予約録画設定のデータの補正を行うことを特徴とする予約録画設定方法。
【請求項５】
請求項２、３または４記載の予約録画設定方法において、
ユーザが前記過去電子番組表データの中から番組を選択し、予約録画設定を行うため予約録画候補を必要とした場合に、前記選択した番組の番組データを基に、最新電子番組表データの中から同一または類似する放送番組を検索し、予約録画設定を行う際の予約録画候補データとして抽出することを特徴とする予約録画設定方法。
【発明の詳細な説明】
【技術分野】
【０００１】
本発明は、ＴＶ番組などの予約録画を行う予約録画設定方法に関し、特に、録画済みのタイトル（番組）を用いて予約録画設定を行う場合に有効な技術に関するものである。
【背景技術】
【０００２】
近年普及し始めたＤＶＤ／ＨＤＤレコーダなどのデジタル映像録画装置には、ＥＰＧ（電子番組表）により番組予約を設定する機能が搭載され、予め予約録画設定を行うことでＴＶ番組録画を自動的に行うことができる。
【０００３】
このＥＰＧから得られる番組データは現在時刻から１週間（７日）程度であり、その番組データを閲覧し選択することによって予約録画設定をする方法を用いている。
【０００４】
また、従来、デジタル放送受信機において、過去の視聴履歴を基に、次回の放送分を自動的に出力予約するものがあった（例えば、特許文献１参照）。
【特許文献１】特開平１０−２２９５２６号公報
【発明の開示】
【発明が解決しようとする課題】
【０００５】
しかしながら、従来のデジタル映像録画装置におけるＥＰＧからの予約録画設定方法は、取得済みＥＰＧデータの中から現在時刻以降の番組データを閲覧し、または番組のジャンルデータや出演者データを基に検索を行い、番組データを絞り込んでから、予約録画したい放送番組を選択する方法が一般的であり、予約録画や手動録画した録画済番組情報を基にした予約録画設定者のユーザ指向情報を用いて、容易に予約録画設定をサポートする機能はなかった。
【０００６】
また、特許文献１記載のものは、過去の視聴履歴を基に、次回の放送分を自動的に視聴できるようにしたデジタル放送受信機に関するものであり、録画された録画済番組情報を基にした予約録画設定者のユーザ指向情報を用いて、容易に予約録画設定をサポートする機能はなかった。
【０００７】
そこで、本発明の目的は、録画済番組情報を用いてＥＰＧデータから予約録画候補データを生成し、予約録画設定の選択を容易に行うことのできる予約録画設定方法を提供することにある。
【課題を解決するための手段】
【０００８】
本発明による予約録画設定方法は、放送番組に関する電子番組表データを取得し、放送番組内容を録画する際に、録画した録画済番組に関する番組データを保持する録画機器における予約録画設定方法であって、ユーザが録画済番組を選択し、予約録画設定を行うため予約録画候補を必要とした場合に、選択した録画済番組に関して保持している番組データを基に、最新電子番組表データの中から同一または類似する放送番組を検索し、予約録画設定を行う際の予約録画候補データとして抽出するものである。
【発明の効果】
【０００９】
本発明によれば、ＥＰＧデータ内から録画済番組情報を基に予約録画候補を抽出するので、容易に同一番組の予約録画設定ができるようになる。
【００１０】
また、本発明によれば、録画済番組情報を元に予約録画候補を抽出する際に、過去ＥＰＧデータとＥＰＧデータから各番組の出現パターンを検出し、取得可能なＥＰＧデータ指示日以降のデータも予測ＥＰＧデータとして作成するので、閲覧可能なＥＰＧの日数を増やすことができ、予約録画候補に毎週、毎日、平日などの予約録画パターンを正確に含めることが可能になり、予約録画設定が容易になる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
（実施の形態１）
図１により、本発明の実施の形態１に係る予約録画設定方法を実施するための予約録画設定装置の構成について説明する。図１は本発明の実施の形態１に係る予約録画設定方法を実施するための予約録画設定装置の構成を示す構成図である。
【００１３】
図１において、予約録画設定装置は、類似データ抽出手段１０、予約録画候補生成手段２０から構成されている。
【００１４】
類似データ抽出手段１０は、例えば録画機器などによりＨＤＤなどの記録装置に格納された録画済タイトルデータ（録画済番組情報）４０の中から、ユーザにより選択された録画済番組が保持する番組情報と類似する情報を持つ番組データを、例えばＨＤＤなどの記録装置に格納されたＥＰＧデータ３０の中から抽出する。
【００１５】
予約録画候補生成手段２０は、類似データ抽出手段１０によって抽出された番組データ群を予約録画候補として、予約録画設定が可能になるようなデータフォーマットにし、例えばＨＤＤなどの記録装置に予約録画候補データ５０として格納する。
【００１６】
次に、本発明の実施の形態１に係る予約録画設定装置の予約録画設定の動作について説明する。
【００１７】
まず、実施の形態１では、例えばＨＤＤなどの記録装置には、例えば放送データなどから取得された番組データであるＥＰＧデータ３０が格納されている。また、既に録画された番組に関する情報は、例えばＨＤＤなどの記憶装置に録画済タイトルデータ４０として格納されている。
【００１８】
そして、ユーザは録画済タイトルデータ４０として保持されているデータを、表示装置などを介して録画済タイトル一覧画面として閲覧可能である。録画済タイトルデータ４０内の各録画済タイトル情報４０には、録画時にＥＰＧデータ３０より取得可能な放送番組に関する情報（例えば放送局ＩＤ、放送開始時間、終了時間など）が保持されている。これらの情報は録画済タイトル情報一覧として閲覧できるデータである。
【００１９】
ユーザが、例えば録画済タイトルデータ４０の一覧画面から、録画済タイトルの番組を選択し、予約録画設定を行うため予約録画候補を必要とした場合、類似データ抽出手段１０は選択された番組に対応する録画済タイトルデータ４０が持つ番組データを基に、ＥＰＧデータ３０内から番組データが類似する現在時刻以降の番組データを抽出して保持してゆく。
【００２０】
次に、予約録画候補生成手段２０は、類似データ抽出手段１０によって抽出、保持された番組データを基に予約録画候補データとして使用できるデータ（例えば、録画画質などを追加）を生成し、例えばＨＤＤなどの記録装置に予約録画候補データ５０として格納する。
【００２１】
この予約録画候補データ５０は、ユーザが選択した録画済タイトルの番組の番組データに類似する番組の番組情報となるので、ユーザが選択した録画済タイトルの番組に対して、近日中に放送される同一番組の最新版あるいは再放送番組である可能性が高く、ユーザが予約録画設定を希望する予約録画候補として有効な番組データとなることから、ユーザは予約録画設定を容易に行うことができるようになる。
【００２２】
（実施の形態２）
実施の形態２は、実施の形態１の予約録画設定方法の機能をＤＶＤ／ＨＤＤレコーダなどのＥＰＧデータで予約録画設定できるデジタル映像録画装置に適用したものである。
【００２３】
図２により本発明の実施の形態２に係る予約録画設定方法の機能を適用したデジタル映像録画装置の構成を説明する。図２は本発明の実施の形態２に係る予約録画設定方法の機能を適用したデジタル映像録画装置の構成を示す構成図である。
【００２４】
図２において、デジタル映像録画装置は、ＴＶチューナ回路１００、ＭＰＥＧエンコーダ１１０、ＭＰＥＧデコーダ１２０、表示制御部１３０、ＣＰＵ１４０、キーボード（ＫＢ）やマウス（ＭＳ）などの入力部１５０、ＨＤＤなどの記憶装置１６０、ＤＶＤ−ＲＡＭドライブ１７０、ネットワークコントローラ１８０から構成され、表示制御部１３０にはモニタ１９０が接続され、ネットワークコントローラ１８０はネットワーク２００に接続され、デジタル映像録画装置を操作するためのリモコン２１０が備えられている。
【００２５】
実施の形態２のデジタル映像録画装置は、地上波あるいは衛星波の放送を受信するＴＶチューナ回路１００を持ち、放送番組を受信する。
【００２６】
また、受信された放送番組はＭＰＥＧエンコーダ１１０により映像圧縮しながら、表示制御部１３０を経由してモニタ１９０に出力され、ユーザに視聴される。
【００２７】
また、ＭＰＥＧエンコーダ１１０によりエンコーダされたエンコード映像は、内蔵のＨＤＤなどの記憶装置１６０内に映像情報として、例えば録画映像ファイルなどの形で格納される。
【００２８】
また、記憶装置１６０やＤＶＤ−ＲＡＭなどのメディアに格納されたエンコード映像は、ＭＰＥＧデコーダ１２０により映像情報に伸張され、表示制御部１３０を介してモニタ１９０に出力される。
【００２９】
また、放送番組は、上記の電波以外に、ケーブルＴＶやインターネット経由で配信される番組であってもよい。
【００３０】
また、視聴番組の操作や、再生映像の指定などは、キーボード／マウスなどの入力部１５０あるいはリモコン２１０により行い、また、再生映像の指定は、専用のメニュー画面やファイルエクスプローラなどにより行う。
【００３１】
また、ＣＰＵ１４０は、実施の形態１の各手段を実行し予約録画設定方法の処理を行うことができ、放送データの入力制御やエンコード／デコード制御や表示制御部１３０を制御して、録画開始および録画終了の映像情報などの入力画面を表示し、入力部１５０やリモコン２１０により指定された予約情報などの入力処理を行っている。
【００３２】
さらに、予約録画実行や入力部１５０あるいはリモコン２１０からの指示により番組の録画を行う時には、放送データなどから取得したＥＰＧデータ３０から、録画番組に関する情報をＥＰＧデータ３０から切り出し、録画済タイトルデータ４０として、記憶装置１６０に格納する。
【００３３】
また、ＥＰＧデータ３０のデータはＶＢＩ（垂直帰線消去期間  Ｖｅｒｔｉｃａｌ  Ｂｌａｎｋｉｎｇ  Ｉｎｔｅｒｖａｌ）あるいは、ネットワークコントローラ１８０により、インターネットなどのネットワーク２００を経由して取得する。
【００３４】
ＤＶＤ−ＲＡＭドライブ１７０は、記憶装置１６０の録画映像ファイルなどを外部記憶メディアにバックアップあるいは出力することができる。また、ＤＶＤ−ＲＡＭドライブ１７０に限らず、その他の外部記憶メディア用のドライブを用いることもできる。
【００３５】
次に、図３〜図６により、本発明の実施の形態２に係るデジタル映像録画装置の予約録画設定の動作の一例をデータと処理の例を示しながら説明する。図３は本発明の実施の形態２に係るデジタル映像録画装置で用いられるＥＰＧデータ３０の一例を示す図、図４は本発明の実施の形態２に係るデジタル映像録画装置で用いられる録画済タイトルデータ４０の一例を示す図、図５は本発明の実施の形態２に係るデジタル映像録画装置の予約録画候補データを生成する動作の一例を示すフローチャート、図６は本発明の実施の形態２に係るデジタル映像録画装置で用いられる予約録画候補データ５０一例を示す図である。なお、図３、図４、図６に示した各データの一例は、各データの一部を抜粋したものを示している。
【００３６】
図３において、放送局ＩＤ３１０は、チャンネル番号に相当する。日時３１１は番組が放送を予定している年月日を示す。開始時刻３１２は、番組の放送が開始される時刻を示し、終了時刻３１３は番組内容の放送が終了する時刻を示している。曜日３１４は番組の放送が予定されている曜日であり、日時３１１により確定している。タイトル名３１５は、番組に付けられた名前であり、継続して放送される同一構成の番組であっても、タイトル名が必ずしも同一とは限らず、取得するＥＰＧデータ３０の作成元によって決定される。よって、同一番組内容で放送時刻が異なる“再放送番組”であっても、同一タイトル名であるとは限らない。
【００３７】
図４において、放送局ＩＤ４１０、日時４１１、開始時刻４１２、終了時刻４１３、曜日４１４、タイトル名４１５は、それぞれ、録画した番組に対して、図３に示すようなＥＰＧデータ３０の放送局ＩＤ３１０、日時３１１、開始時刻３１２、終了時刻３１３、曜日３１４、タイトル名３１５の情報を格納したものである。画質４１６は番組を録画した時に使用した、録画映像の綺麗さを決定するためのパラメータである。
【００３８】
予約録画候補データを生成する動作としては、まず、図４に示すような録画済タイトルデータ４０の情報をＣＰＵ１４０は記憶装置１６０から読み出し、閲覧可能な画面構成にしてから表示制御１３０を介してモニタ１９０に表示している状態とする。
【００３９】
そして、ユーザが、入力部１５０またはリモコン２１０の操作によって、表示した録画済タイトル一覧から、例えば、タイトル名に「秘境大自然  １９」と格納されている番組を選択し、予約録画候補一覧の表示を要求したとする。
【００４０】
そして、図５に示すように、Ｓ１００では、ユーザにより選択された番組の録画済タイトルデータ４０のタイトル名の指定されたポインタ（一番最初は１文字目）から５０％分の文字を切り出し、「秘境大自」をキーワードとする。このＳ１００での処理は、選択した録画済タイトルの番組データのタイトル名の指定されたポインタ（一番最初は１文字目）から５０％分の文字を切り出しているが、これは、番組のタイトル名は、同じ番組であっても、例えば、再放送時の「（再）」や放送回数の例えば「１９」などの数字は入っているため、番組のタイトル名のすべてを用いるとＥＰＧデータ３０内のデータと一致するデータがなくなってしまう場合があるからである。また、この切り出す５０％分の文字は、５０％に限らず、タイトル名によって、変化させたり、その他、類似判断に最適な文字を切り出せるように設定される。
【００４１】
Ｓ１１０では、切り出したキーワードを基に、図３に示すようなＥＰＧデータ３０のタイトル名と比較する。
【００４２】
Ｓ１２０では、Ｓ１１０で比較した結果を利用し、比較結果が一致した場合には、Ｓ１３０で既に比較結果で一致して蓄積したことがあるデータであるか判断し、蓄積したことのないデータであれば、Ｓ１４０でキーワードと一致したデータとして蓄積する。
【００４３】
また、Ｓ１２０での比較結果が不一致であったり、Ｓ１３０で既に蓄積済みデータと判断した場合には、Ｓ１４０でのデータ蓄積処理は行わない。
【００４４】
そして、Ｓ１５０では、ユーザにより選択された番組の録画済タイトルデータ４０のタイトル名からのキーワードの切り出し位置を変更する。例えば、「秘境大自」がキーワードであった場合には、切り出し開始位置を１文字進め、Ｓ１００にて、「境大自然」をキーワードとして切り出させる。以降Ｓ１１０からＳ１２０、Ｓ１３０、Ｓ１４０の処理を必要に応じて行うと共に、Ｓ１５０では、録画済タイトルの番組データのタイトル名の後半５０％分の文字列が対象となるまで行い、Ｓ１５０で、すべての文字列の比較を終えたと判断したら、Ｓ１６０で、蓄積済みデータを予約録画候補データ５０として記憶装置１６０に格納する。
【００４５】
このＳ１００からＳ１５０までの処理は、図１に示す類似データ抽出手段１０による処理により実施されている。
【００４６】
Ｓ１６０によって、記憶装置１６０に格納された予約録画候補データ５０は、例えば、図６に示すようなデータであり、ユーザが選択した選択した録画済タイトルと類似する「タイトル名」を持つ、ＥＰＧデータ３０内の番組データが予約録画候補データ５０として格納された例である。
【００４７】
このＳ１６０での処理は、図１に示す予約録画候補生成手段２０による処理により実施されている。
【００４８】
ＣＰＵ４０は記憶装置１６０に格納された予約録画候補データ５０を表示制御部１３０を介してモニタ１９０に表示し、ユーザは入力部１５０またはリモコン２１０によって予約録画候補データ内の番組を選択し、予約録画設定を行うことができる。
【００４９】
（実施の形態３）
実施の形態３は、実施の形態１において、時刻が進むことで使用有効性が無くなったＥＰＧデータ３０を過去ＥＰＧデータ７３０として蓄積し、ＥＰＧデータ３０と比較、各番組データの出現パターンを検出することで、独自に予測ＥＰＧデータ７４０を生成すると共に、ＥＰＧデータ３０に予測ＥＰＧデータ７３０を加えたものから、実施の形態２と同様に予約録画候補データ７４０を作成することで、予約録画候補データ数が増やせると共に、各番組データの出現パターンから予約録画候補データにパターン録画（毎日、毎週、平日録画など）の候補を含めることができるようにしたものである。
【００５０】
図７および図８により、本発明の実施の形態３に係る予約録画設定方法を実施するための予約録画設定装置の構成について説明する。図７および図８は本発明の実施の形態３に係る予約録画設定方法を実施するための予約録画設定装置の構成を示す構成図であり、図７は、予測ＥＰＧデータ７４０を生成する部分の構成、図８は、予約録画候補データ９２０を生成する部分の構成を示している。
【００５１】
図７において、予測ＥＰＧデータを生成する部分の構成として、類似データ抽出手段７００、出現パターン検出手段７１０、予測ＥＰＧ生成手段７２０から構成されている。
【００５２】
類似データ抽出手段７００は、ＥＰＧデータ３０と過去ＥＰＧデータ７３０を読み出し、読み出したＥＰＧデータ３０内の各番組データが過去ＥＰＧデータ７３０上で同一放送局ＩＤ、同一開始時刻、同一終了時刻、類似タイトル名でデータ上に存在するのか確認し、ある場合は類似番組データありとして保持している。
【００５３】
過去ＥＰＧデータ７３０は、過去に取得されたＥＰＧデータ３０であり、時刻経過に伴い使用済みとなったＥＰＧデータ３０を蓄積・格納したデータのことである。
【００５４】
出現パターン検出手段７１０では、類似データ抽出手段７００により類似番組データとして保持されている番組データがＥＰＧデータ３０と過去ＥＰＧデータ７３０上で現れる出現パターンを検出し、例えば、毎週同一曜日に出現するのか、平日だけ出現するのかで、同一出現パターンでＥＰＧデータ３０が持つ日付以降の番組データを生成し、蓄積する。
【００５５】
予測ＥＰＧ生成手段７２０は、出現パターン検出手段７１０によって蓄積された番組データを、予約録画設定が可能になるようなデータフォーマットにし、例えばＨＤＤなどの記録装置に予測ＥＰＧデータ７４０として格納する。
【００５６】
図８において、予約録画候補データ９２０を生成する部分の構成としては、図１に示した実施の形態１における予約録画設定装置の構成に、ＥＰＧデータ３０の他に、図７で生成する予測ＥＰＧデータ７４０をＥＰＧデータ３０の追加データとして追加している構成となっている。
【００５７】
よって、類似データ抽出手段９００は、実施の形態１における類似データ抽出手段１０に対して、ＥＰＧデータ３０の他に追加データとして予測ＥＰＧデータ７４０を読み出す処理を行っている。
【００５８】
予約録画候補生成手段９１０では、予測ＥＰＧデータ７４０により、予約録画候補に使用するＥＰＧデータ量（期間）が増えることから、各番組出現パターンが予測可能になり、実施の形態１における予約録画候補生成手段２０に比べて、予約録画パターン（毎日、毎週、平日など）を含んだ予約録画候補を生成することができる。生成した予約録画候補は、予約録画候補データ９２０として、記憶装置１６０に格納される。
【００５９】
次に、図９および図１０により、本発明の実施の形態３に係る予約録画設定装置の予約録画設定の動作について説明する。図９および図１０は、本発明の実施の形態３に係る予約録画設定装置の動作を示すフローチャートであり、図９は、予測ＥＰＧデータ７４０を生成する部分の動作を示し、図１０は、予約録画候補データ９２０を生成する部分の動作を示している。
【００６０】
まず、予測ＥＰＧデータ７４０を生成する部分の動作としては、図９に示すように、Ｓ８００ではＥＰＧデータ３０より１番組データを切り出し、Ｓ８１０では切り出した１番組データと同一放送局ＩＤ、同一開始時刻、同一終了時刻のタイトル名に類似する番組データがあるかを判断する。
【００６１】
Ｓ８１０で類似する番組データがあれば、Ｓ８２０では、類似タイトルの番組データが、過去ＥＰＧデータ７３０上にどのようなパターンで出現するか確認し、出現パターン（毎日、毎週、平日など）に合わせて、Ｓ８３０では、ＥＰＧデータ３０の番組データが保持する日時以降のＥＰＧデータとして、予測番組タイトル名を生成して番組データとして蓄積する。
【００６２】
Ｓ８４０では、ＥＰＧデータ３０内のすべての番組データに対して同様の処理を行ったか確認し、すべて終えていない場合は、再びＳ８００からの処理を行いＥＰＧデータ３０内のすべての番組データに対して同様の処理を行い、データを蓄積してゆく。
【００６３】
このＳ８００からＳ８４０までの処理は、図７に示す類似データ抽出手段７００および出現パターン検出手段７１０による処理により実施されている。
【００６４】
Ｓ８５０ではＥＰＧデータ３０内の番組データのすべてに対して処理を終えた後、蓄積された番組データを予約録画設定が可能になるようなデータフォーマットにして予測ＥＰＧデータ７４０として記憶装置１６０に格納する。
【００６５】
このＳ８５０の処理は、図７に示す予測ＥＰＧ生成手段７２０による処理により実施されている。
【００６６】
また、予約録画候補データ９２０を生成する部分の動作としては、図５に示すフローチャートの処理に対して、予測ＥＰＧデータ７４０と予約録画候補データ内に録画パターンを含める点が追加されているものとなっている。
【００６７】
図５で示したフローチャートのＳ１１０の扱うＥＰＧデータ３０が、図１０で示したフローチャートのＳ１０１０ではＥＰＧデータ３０と予測ＥＰＧデータ７４０になっており、比較対象の各番組のタイトル名に、予測ＥＰＧデータ７４０が含まれている。
【００６８】
また、図１０に示すフローチャートのＳ１０６０では、類似タイトル名を持つ番組データの出現パターンにより、録画パターン（毎日、毎週、平日など）を生成し、追加蓄積して、予約録画候補データ９２０の中に含ませることが可能になっている。
【００６９】
図１０に示すフローチャートのＳ１００からＳ１５０までの処理は、図８に示す類似データ抽出手段９００による処理により実施されている。
【００７０】
また、図１０示したフローチャートのＳ１０６０およびＳ１６０での処理は、図８に示す予約録画候補生成手段９１０による処理により実施されている。
【００７１】
次に、図１１〜図１４により、本発明の実施の形態３に係る予約録画設定装置での各処理を行った場合の予約録画候補としての生成データの例について説明する。図１１は本発明の実施の形態３に係る予約録画設定装置で用いられる過去ＥＰＧデータの一例を示す図、図１２は本発明の実施の形態３に係る予約録画設定装置で格納された予測ＥＰＧデータの一例を示す図、図１３および図１４は本発明の実施の形態３に係る予約録画設定装置で生成された予約録画候補データの一例を示す図である。なお、図１１〜図１４に示した各データの一例は、各データの一部を抜粋したものを示している。
【００７２】
図９に示すフローチャートのＳ８１０で扱う過去ＥＰＧデータ７３０は、図１１に示すように、時刻が進むことで使用有効性が無くなったＥＰＧデータ３０が蓄積されたデータであり、ＥＰＧデータ３０と同様なデータとなっている。
【００７３】
図９に示すフローチャートのＳ８４０で格納された予測ＥＰＧデータ７４０は、図１２に示すように、図３に示すＥＰＧデータ３０の各番組データの類似情報が、図１１に示す過去ＥＰＧデータ７３０内にどのようの出現するのか比較・チェックされた後に予測ＥＰＧデータ７４０として生成されたデータであり、予測ＥＰＧデータ７４０であることを示す、「予測／」という文字が、タイトル名の前に挿入されたデータとなっている。
【００７４】
また、図４に示す録画済タイトル情報でタイトル名４１５において、「子連れ大猫」を選んで、図１０に示すような予約録画候補データの生成処理行った場合の結果は、図１３に示すようなデータとなり、予約録画候補データ９２０には、ＥＰＧデータ３０のみを扱う場合と異なり、現在のＥＰＧデータ３０によるデータと予測ＥＰＧデータ７４０のデータが含まれると共に、録画パターン（毎週月曜日）を持つ予約録画候補が含まれている。
【００７５】
また、図４に示す録画済タイトル情報でタイトル名４１５において、「秘境大自然 １９」を選んで、図１０に示すような予約録画データの生成を行った場合の結果は、図１４に示すようなデータとなり、予約録画候補データ９２０には、ＥＰＧデータ３０のみを扱う場合と異なり、現在のＥＰＧデータ３０によるデータと予測ＥＰＧデータ７４０のデータが含まれると共に、類推して生成した、二つの録画パターン（平日／月〜金）を持つ予約録画候補が含まれている。
【００７６】
この図１３および図１４に示すような予約録画候補データ９２０により、ユーザは、次に放送される番組だけではなく、現在のＥＰＧデータ３０にはない、予測された番組も予約録画候補として選択することができ、毎週や毎日などの予約候補も選択することができる。
【００７７】
また、実施の形態３で生成した予約録画候補データ７４０の情報を用いて予約録画設定を行った場合、予測ＥＰＧデータ７４０による予約録画のための情報はあくまでも予測データであるから、実際に予約録画を実行する前に、予測データに対応する正式なＥＰＧデータ３０が取得できた時点で、予約録画データとＥＰＧデータ３０を比較し、タイトル名の類似性の整合性や放送開始時刻／終了時刻の一致性を確認し、必要であれば録画開始時刻や録画終了時刻の補正を行ったり、予約録画を中止することを判断し、ＣＰＵ４０は表示制御部１３０を介して、判断の結果をモニタ１９０に情報として表示することを行う。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００７９】
例えば、実施の形態１〜３では、ユーザが、例えば録画済タイトルデータ４０の一覧画面から、録画済タイトルの番組を選択して、その選択した番組の情報から、予約録画設定を行うため予約録画候補データを生成しているが、ユーザが選択する番組として、例えば、過去ＥＰＧデータ７３０を表示制御部１３０を介してモニタ１９０に一覧表示し、ユーザが入力部１５０またはリモコン２１０によって番組を選択して予約録画候補データを要求することもできる。この場合は、録画済タイトルデータ４０の代わりに過去ＥＰＧデータ７３０の情報を基に、予約録画候補データ５０や予約録画候補データ９２０を生成することを行い、過去の番組放送情報を基に予約録画設定が容易に行える。
【図面の簡単な説明】
【００８０】
【図１】本発明の実施の形態１に係る予約録画設定方法を実施するための予約録画設定装置の構成を示す構成図である。
【図２】本発明の実施の形態２に係る予約録画設定方法の機能を適用したデジタル映像録画装置の構成を示す構成図である。
【図３】本発明の実施の形態２に係るデジタル映像録画装置で用いられるＥＰＧデータ３０の一例を示す図である。
【図４】本発明の実施の形態２に係るデジタル映像録画装置で用いられる録画済タイトルデータ４０の一例を示す図である。
【図５】本発明の実施の形態２に係るデジタル映像録画装置の予約録画候補データを生成する動作の一例を示すフローチャートである。
【図６】発明の実施の形態２に係るデジタル映像録画装置で用いられる予約録画候補データ５０一例を示す図である。
【図７】本発明の実施の形態３に係る予約録画設定方法を実施するための予約録画設定装置の構成を示す構成図である。
【図８】本発明の実施の形態３に係る予約録画設定方法を実施するための予約録画設定装置の構成を示す構成図である。
【図９】本発明の実施の形態３に係る予約録画設定装置の動作を示すフローチャートである。
【図１０】本発明の実施の形態３に係る予約録画設定装置の動作を示すフローチャートである。
【図１１】本発明の実施の形態３に係る予約録画設定装置で用いられる過去ＥＰＧデータの一例を示す図である。
【図１２】本発明の実施の形態３に係る予約録画設定装置で格納された予測ＥＰＧデータの一例を示す図である。
【図１３】本発明の実施の形態３に係る予約録画設定装置で生成された予約録画候補データの一例を示す図である。
【図１４】本発明の実施の形態３に係る予約録画設定装置で生成された予約録画候補データの一例を示す図である。
【符号の説明】
【００８１】
１０・・・類似データ抽出手段、２０・・・予約録画候補生成手段、３０・・・ＥＰＧデータ、４０・・・録画済タイトルデータ、５０・・・予約録画候補データ、１００・・・ＴＶチューナ回路、１１０・・・ＭＰＥＧエンコーダ、１２０・・・ＭＰＥＧデコーダ、１３０・・・表示制御部、１４０・・・ＣＰＵ、１５０・・・入力部、１６０・・・記憶装置、１７０・・・ＤＶＤ−ＲＡＭドライブ、１８０・・・ネットワークコントローラ、１９０・・・モニタ、２００・・・ネットワーク、２１０・・・リモコン。
【図１】
2006166276.tif 000003
【図２】
2006166276.tif 000004
【図３】
2006166276.tif 000005
【図４】
2006166276.tif 000006
【図５】
2006166276.tif 000007
【図６】
2006166276.tif 000008
【図７】
2006166276.tif 000009
【図８】
2006166276.tif 000010
【図９】
2006166276.tif 000011
【図１０】
2006166276.tif 000012
【図１１】
2006166276.tif 000013
【図１２】
2006166276.tif 000014
【図１３】
2006166276.tif 000015
【図１４】
2006166276.tif 000016